(57)【要約】【課題】物品収納空間に収納された物品を、操作者が物品取出し口の戸を開放して取出す際に、操作者による不正取出しを防止し、かつ、簡易な構造で物品不正取出し防止機構を備えた物品取得装置を提供することにある。【解決手段】遮蔽板２２は、垂直方向から略水平方向へと移動可能であり、物品落とし口７を遮蔽可能な方形の板部で構成されている。遮蔽板２２の下端部は連結部２３と連結されている。また、遮蔽板２２の上端部の左右両側部には、移動方向を案内するための案内部２４内に挿入されて摺動する突起状の滑動部２２ｂが設けられ、戸２１が上昇移動すると、遮蔽板２２が案内部２４に沿って物品収納空間９の奥側から手前側に迫り出す。【選択図】図２
2012024171.tif 000002
【特許請求の範囲】
【請求項１】
複数の物品を載置する物品載置面上の物品を選び取る物品択出機構と、
前記物品択出機構によって選び取られた物品を投入する物品落とし口と、
前記物品落とし口の下方に位置し、前記物品を収納する物品収納部と、
操作者が前記物品収納部内の前記物品を取り出すための物品取出し口と、
前記物品取出し口を閉鎖、開放する戸と、
を備えた物品取得装置において、
前記物品収納部は、
前記物品落とし口を閉鎖、開放する遮蔽板と、
前記戸と前記遮蔽板とを連結する連結部と、
前記物品落とし口の近傍下側に設けられ、前記遮蔽板を案内する案内部と、
を備え、
前記遮蔽板は、
前記案内部内に挿入されて摺動する滑動部を備え、
前記戸が前記物品取出し口を閉鎖、開放するのに伴い、前記連結部と前記滑動部を介して前記案内部に沿って、前記物品落とし口を開放、閉鎖することを特徴とする物品取得装置。
【請求項２】
前記戸は、
前記物品取出し口を下側から開放し、
前記遮蔽板は、
前記物品載置面と接する前記物品落とし口の開口端から閉鎖することを特徴とする請求項１記載の物品取得装置。
【請求項３】
前記遮蔽板は、
前記戸が前記物品取出し口を完全に閉鎖している位置にある場合に、前記物品載置面の下方に収納され、前記物品落とし口を完全に開放する落下口開放位置と、
前記戸が前記物品取出し口を完全に開放している位置にある場合に、前記物品載置面の下方から迫り出すことで前記物品落とし口を完全に閉鎖する落下口閉鎖位置と、
に位置することを特徴とする請求項１又は２記載の物品取得装置。
【発明の詳細な説明】
【技術分野】
【０００１】
本発明は、筐体内の物品載置部に載置された物品のうち所望の物品を選択して筐体内の物品収納空間に移し、物品取出し口から物品を取出す物品取得装置に関し、特に物品不正取出し防止機構を備えた物品取得装置に関する。
【背景技術】
【０００２】
従来の物品取得装置において、筐体内の物品載置部と、物品を取出す取出し口とが常時連通していると、物品取出し口と物品落とし口とを介して物品載置部に直接手を差込み、または掴持器具を差込み、物品載置部に載置された物品が不正に取出されるおそれがあった。
【０００３】
これを防止するために、物品取出し口の開口部を開閉する戸の構造として、物品不正取出し防止機構を備えたものがある（例えば、特許文献１（第２頁、図２）参照。）。
【先行技術文献】
【特許文献】
【０００４】
【特許文献１】特開２００２−２２４４３２号公報
【０００５】
前記特許文献１に開示された物品不正取出し防止機構においては、筐体下側の前壁に開口する景品取り出し口に設けられている第１開閉プレートが下降限まで下降しているときは、景品取り出し口を閉止するとともに、防犯用の第２開閉プレートが第１開閉プレートと略平行に保持されている。また、第１開閉プレートが上昇限まで上昇しているときは、景品取り出し口を開放するとともに、第２開閉プレートが景品取り出し口手前側から奥側へ向かって徐々に揺動することで、誘導通路の途中を閉止することができる。
【０００６】
すなわち、遊技者が第１開閉プレートを上昇限まで上昇させると、第２開閉プレートが誘導通路の途中を閉止する。そのため、遊技者が誘導通路を通じて、景品ケースに直接手を差込んだり、掴持器具を差込んだりして、景品ケースに載置された景品を取出すことが不可能になることで、遊技者による不正な取出しを防止できるようにしている。  
【発明の概要】
【発明が解決しようとする課題】
【０００７】
しかしながら、物品取得装置は一般的に、物品収納空間奥側上方に物品載置部が設けられていることが多い。前記特許文献１に開示された物品不正取出し防止機構においては、第１開閉プレートが少しだけ上昇している場合には、誘導通路の途中は、一部開放されたままである。すなわち、第１開閉プレートが完全に上昇している場合には、誘導通路の途中が第２開閉プレートにより完全に閉止されるため、遊技者が景品ケースに直接手を差込んだり、掴持器具を差込んだりすることは不可能となる。しかし、第１開閉プレートが少しだけ上昇している場合には、誘導通路の途中は、一部開放されたままであるため、第１開閉プレートが少しだけ上昇した分の景品取り出し口の隙間と、誘導通路の途中の隙間とを介して、遊技者が景品ケース内に直接手を差込んだり、掴持器具を差込んだりして、景品ケース内に載置された物品が不正に取出されるおそれがある。
【０００８】
上記課題に鑑み、本発明の目的は、物品収納空間に収納された物品を、物品取出し口の戸を開放して取出す際に、操作者による不正取出しを防止し、かつ、簡易な構造で物品不正取出し防止機構を備えた物品取得装置を提供することにある。
【課題を解決するための手段】
【０００９】
本発明は、複数の物品を載置する物品載置面上の物品を選び取る物品択出機構と、前記物品択出機構によって選び取られた物品を投入する物品落とし口と、前記物品落とし口の下方に位置し、前記物品を収納する物品収納部と、操作者が前記物品収納部内の前記物品を取り出すための物品取出し口と、前記物品取出し口を閉鎖、開放する戸と、を備えた物品取得装置において、前記物品収納部は、前記物品落とし口を閉鎖、開放する遮蔽板と、前記戸と前記遮蔽板とを連結する連結部と、前記物品落とし口の近傍下側に設けられ、前記遮蔽板を案内する案内部と、を備え、前記遮蔽板は、前記案内部内に挿入されて摺動する滑動部を備え、前記戸が前記物品取出し口を閉鎖、開放するのに伴い、前記連結部と前記滑動部を介して前記案内部に沿って、前記物品落とし口を開放、閉鎖することを特徴とする物品取得装置である。
【００１０】
かかる発明では、戸が物品取出し口を閉鎖しているときは、遮蔽板が物品落とし口を開放することで、物品落とし口に落下した物品が物品収納部内に収納される。また、戸が物品取出し口を開放しているときは、遮蔽板が物品落とし口を閉鎖することで、物品取出し口から操作者が手や掴持器具を差込んだりしても、物品載置面までは差込むことができなくなる。
【００１１】
ここで、前記戸は、前記物品取出し口を下側から開放し、前記遮蔽板は、前記物品載置面と接する前記物品落とし口の開口端から閉鎖することとしてもよい。
【００１２】
かかる発明では、物品取出し口を物品載置面から遠い開口端から開放し、物品落とし口を物品載置面から近い開口端から閉鎖していくことで、少しだけ開放された状態の物品取出し口の隙間から操作者が手や掴持器具を差込んだりしても、物品載置面までは届きにくくなっている。
【００１３】
また、前記遮蔽板は、前記戸が前記物品取出し口を完全に閉鎖している位置にある場合に、前記物品載置面の下方に収納され、前記物品落とし口を完全に開放する落下口開放位置と、前記戸が前記物品取出し口を完全に開放している位置にある場合に、前記物品載置面の下方から迫り出すことで前記物品落とし口を完全に閉鎖する落下口閉鎖位置と、に位置することとしてもよい。
【００１４】
かかる発明では、戸が物品取出し口を閉鎖している場合に、遮蔽板を物品載置面の下方に収納することで、物品収納部内のスペースを有効利用できる。
【発明の効果】
【００１５】
本発明によれば、物品収納空間に収納された物品を、操作者が物品取出し口の戸を開放して取出す際に、操作者による不正取出しを防止し、かつ、簡易な構造で物品不正取出し防止機構を備えた物品取得装置を提供することができる。
【図面の簡単な説明】
【００１６】
【図１】本発明の第１実施形態に係る物品不正取出し防止機構を備えた物品取得装置の斜視図である。
【図２】物品取出し口が完全に閉鎖している状態（閉鎖状態）の物品収納空間の前後方向断面図である。
【図３】物品取出し口が半分だけ開放している状態（半開放状態）の物品収納空間の前後方向断面である。
【図４】物品取出し口が完全に開放している状態（開放状態）の物品収納空間の前後方向断面図である。
【図５】本発明の第２実施形態に係る物品不正取出し防止機構を備えた物品取得装置の物品収納空間の前後方向断面図である。
【図６】本発明の第３実施形態に係る物品不正取出し防止機構を備えた物品取得装置の前後方向断面図である。
【発明を実施するための形態】
【００１７】
以下、本発明の詳細を図１乃至図６に図示された実施例１乃至実施例３について説明する。なお、以下の説明において、前後方向、上下方向及び左右方向に言及している場合には、物品取得装置に向かって立つ操作者から見た方向を意味する。また、「手前側」及び「奥側」との表現は、それぞれ物品取得装置に向かって立つ操作者の立つ側及びその反対側を意味する。
【００１８】
本実施例の物品取得装置は、筐体内部に色々な種類の物品を収納し、筐体内部天井から吊り下がるクレーンを用いて所望の物品を掴んで、あるいは引っ掛けて物品落とし口まで運ぶことで物品を取得するクレーンゲーム機である。クレーンゲーム機は、略直方体状（円筒体でも可）に形成された筐体部を備えている。
【実施例１】
【００１９】
図１は、本発明の実施の形態に係る物品取得装置の斜視図を示す。
【００２０】
クレーンゲーム機１は、略直方体状の筐体部の下半部を占める筐体下部２と、筐体下部２の上方に形成され、外部から内部を視認可能な透明板で覆われている上半部の筐体上部３とからなる。
【００２１】
筐体下部２は、略直方体状の外周面を形成する外周壁４を備え、外周壁４の上端縁には物品載置板５が張設される。物品載置板５上には数種の物品６が載置されるようになっている。物品６は、ここでは円筒状のお菓子等の景品である。物品載置板５の手前側には、方形に開口し、筐体下部２と筐体上部３とを連通する物品落とし口７が形成されている。手前側の外周壁４には、取得した物品６を取出すための方形に開口した物品取出し口８が形成されている。また、物品落とし口７の下方位置であって、物品取出し口８の奥側には、物品６を収納可能な空間を有する物品収納空間９が設けられている。なお、物品落とし口７は物品載置板５の手前側でなくてもよく、また、物品取出し口８は外周壁４の手前側でなくてもよく、物品落とし口７が物品取出し口８に連通していれば、例えば、側面等に形成されていてもよい。さらに、物品収納空間９の左右幅は、物品落とし口７、物品取出し口８の左右幅以上が好ましく、また、物品収納空間９の前後幅は、物品落とし口７の前後幅以上が好ましい。
【００２２】
物品取出し口８の内側には、上下方向にスライド移動して、物品取出し口８を開閉する揚げ戸である戸２１の昇降機構が設けられている。昇降機構は図示しないガイドレールに沿って、戸２１を手動で昇降させることができる。
【００２３】
物品収納空間９内には、物品落とし口７の左右幅以上の左右幅を有し、物品落とし口７を遮蔽可能な遮蔽板２２が設けられている。さらに、戸２１が移動することで、遮蔽板２２を移動させることができる、戸２１の左右下端部と遮蔽板２２の一端部（遮蔽板２２が垂直方向を向いている位置にあるときの下端部）を連結している連結部２３が設けられている。また、遮蔽板２２の動きを案内可能な案内部２４が設けられている。
【００２４】
筐体上部３は透明板で覆われたプレイ空間１０を形成しており、プレイ空間１０の天井の前後には、左右水平方向に指向した図示しない２本の横行用固定レールが配設されるとともに、該２本の横行レールの下側には、前後方向に指向した図示しない縦行用移動レールが取り付けられる。縦行用移動レールの下側には、走行型クレーン１１が取り付けられる。走行型クレーン１１は、図示しないクレーン台車が縦行用移動レールに沿って前後方向へ走行可能に設けられ、クレーン台車に伸縮パイプの上端部が一体に装着され、伸縮パイプの下端に設けた把持爪開閉部には１対の把持爪が開閉可能に設けられている。
【００２５】
なお、本実施例では、物品把持型のクレーンゲーム機１が用いられているが、操作者による操作の結果、物品収納空間９に物品６が収納されるような形態であれば、他の形態の物品取得装置であってもよい。例えば、操作者が所定のゲームをクリアしたり、抽選に当選したりすると、物品収納空間９に物品６が移送されて収納されるような形態の物品取得装置でもよい。また、操作者が物品６を選択すると、物品収納空間９に物品６が収納されるような形態の自動販売機等でもよい。
【００２６】
筐体下部２の手前側の外周壁４には、操作ブロック１２が設けられている。操作ブロック１２の上面には、走行型クレーン１１を右方向（Ｘ方向）や後方向（Ｙ方向）へ操作する操作ボタンが配設されるとともに、硬貨投入口１３が設けられている。
【００２７】
走行型クレーン１１は、左手前側上方をホームポジションとして、ホームポジションの位置から操作者による操作ボタンの操作に従って右方向や奥方向に走行を開始する。走行型クレーン１１が、操作者によって操作ボタンを押されている間、右方向や奥方向に走行し、停止した後、把持爪開閉部が下方に移動して把持爪を開閉することによって物品６を把持する動作を行う。この動作で物品６を掴んだり、物品６を掴むことができなくとも物品６に触れることで物品６の位置を変えたりすることができる。その後、走行型クレーン１１が、物品６を把持した状態で上方に戻り、物品落とし口７の上方に水平移動して、再度把持爪が開閉し、ホームポジションに復帰する。この一連の動作によって、物品落とし口７の上方で把持爪が開閉して、物品６が物品落とし口７を介して物品収納空間９内に落下して収納されるようになっている。あるいは、把持爪開閉部が物品把持動作時に物品６に触れることで物品６を少しずつ物品落とし口７に移動させて落下させる。
【００２８】
物品落とし口７に入った物品６は、物品収納空間９に収納されるので、操作者は戸２１を上方向に移動させて物品取出し口８を開放することで、物品収納空間９から物品６を取出して取得することができる。ここに、操作者が戸２１を上方向に移動させて物品取出し口８を開放して物品収納空間９から物品６を掴み出す際に、不正な取出しを防止する工夫が本クレーンゲーム機１になされている。
【００２９】
図２は、物品取出し口８が完全に閉鎖している状態（閉鎖状態）を図示した物品収納空間９の前後方向断面図である。なお、図２において、図中左方向はクレーンゲーム機１の手前側、図中右方向はクレーンゲーム機１の奥側をそれぞれ表している。
【００３０】
物品収納空間９内に設けられている戸２１は、上方向に摺動可能であり、物品取出し口８を閉鎖可能な方形の板部で構成されている。具体的には、物品取出し口８に近接した物品収納空間９内の左右両側板には、戸２１の移動方向を上下方向に制限するための図示しない戸案内部が設けられており、戸２１が戸案内部に沿って上方向に摺動することにより、物品取出し口８が開放される構造になっている。なお、戸２１の素材は物品取出し口８を閉鎖可能であればよく、素材は問わないが、操作者が物品収納空間９内に物品６が収納されているかどうかを、戸２１が閉鎖している状態でも確認できるように透明または半透明素材が好ましい。
【００３１】
戸２１の左右幅は、物品取出し口８の左右両側板に近接して挟まれる幅長を有する。また、戸２１の手前側下部には、図示しない操作者が掴むことのできる突起状の把手が設けられている。なお、把手は突起状に限定されるわけではなく、操作者が戸２１を上下方向に移動させることのできる形状であればよい。また、戸２１を上下方向に移動させることのできる駆動装置を備える構成としてもよい。
【００３２】
戸２１の左右両下端部には、物品収納空間９の奥側に設けられている遮蔽板２２の一端部と連結している、奥側水平方向に延びる板状の連結部２３が固定して設けられている。遮蔽板２２の下端部の左右両側部には、軸部２２ａが設けられており、連結部２３の奥端が軸着しており、遮蔽板２２が傾動可能になっている。なお、連結部２３は、戸２１が上下方向に移動するのに伴い、遮蔽板２２を移動させることができればよく、戸２１の左右下端部のどちらか一方のみに設けられていてもよい。
【００３３】
遮蔽板２２は、垂直方向から略水平方向へと移動可能であり、物品落とし口７を遮蔽可能な方形の板部で構成されている。遮蔽板２２の左右幅は、物品収納空間９の左右両側板に近接して挟まれる幅長を有する。遮蔽板２２の下端部は連結部２３と連結されている。また、遮蔽板２２の上端部（遮蔽板２２が垂直方向を向いている位置にあるときの上端部）の左右両側部には、移動方向を案内するための案内部２４内に挿入されて摺動する突起状の滑動部２２ｂが設けられている。
【００３４】
案内部２４は、物品収納空間９の左右両側板の奥側から手前側に向かって徐々に高くなるように傾斜する長孔である。長孔内に、遮蔽板２２の滑動部２２ｂが挿入されているため、遮蔽板２２は、案内部２４に沿って滑動自在に移動する。なお、案内部２４は、奥側から手前側に向かって徐々に高くなるように傾斜しているのは、滑動部２２ｂに上方向の力が加わったときに、その力が手前側に逃げることで、軸部２２ａを軸として遮蔽板２２が手前側に傾動可能とするためである。
【００３５】
戸２１が最も下方向に移動している位置（ホームポジション）にあるときは、戸２１によって物品取出し口８が完全に閉鎖される（閉鎖状態）。物品取出し口８が閉鎖状態のとき、遮蔽板２２は物品収納空間９内の奥側で、垂直方向を向いている位置（落下口開放位置）となる。遮蔽板２２が落下口開放位置に位置しているときは、物品収納空間９と物品落とし口７とは遮蔽板２２によって遮蔽されていないため、物品落とし口７は開放される。
【００３６】
物品取出し口８が閉鎖状態のときには、物品落とし口７が開放されているので、物品落とし口７と物品収納空間９が連通するため、物品落とし口７に入った物品６は、物品収納空間９内に収納される。物品取出し口８が閉鎖状態では、操作者は物品収納空間９内に収納された物品６を取出すことができない。
【００３７】
図３は、物品取出し口８の下側半分程度が開放した状態（半開放状態）を図示した物品収納空間９の縦断面図である。なお、実施例１と共通の部材については、実施例１と共通の符号を用いる。
【００３８】
戸２１が上昇移動して、物品取出し口８が閉鎖状態から物品取出し口８の下側半分が開放した半開放状態になるに従って、連結部２３も上昇移動することによって、物品収納空間９内の奥側で垂直方向を向いていた遮蔽板２２が、滑動部２２ｂが案内部２４と摺動して、案内部２４に沿って徐々に水平方向を向くように、奥側から手前側に迫り出してくる。
【００３９】
物品取出し口８が半開放状態のときには、物品落とし口７の手前側が開放されているので、物品落とし口７と物品収納空間９の一部が連通するになる。ここで、物品取出し口８は下側半分程度が開放されており、かつ、物品落とし口７の手前側が開放されているため、物品取出し口８と物品収納空間９と物品落とし口７と連通することになる。しかしながら、遮蔽板２２が物品落とし口７の奥側、つまり、物品６が載置されている物品載置板５の手前端から遮蔽していくことで、操作者は、物品載置板５の手前端から離れた物品落とし口７の手前側を介してプレイ空間１０に手を差込んだり、掴持器具を差込んだりすることになるため、物品載置板５までは届きにくくなっている。よって、物品載置板５上の物品６を物品取出し口８から手や掴持器具を差込んでの操作者による不正取出しを防止している。
【００４０】
図４は、物品取出し口８が完全に開放している状態（開放状態）を図示した物品収納空間９の前後方向断面図である。
【００４１】
戸２１が最大限まで上昇移動して、物品取出し口８が半開放状態から物品取出し口８が完全に開放した開放状態になるに従って、連結部２３も上昇移動することによって、遮蔽板２２が、案内部２４に沿って略水平方向を向くように、奥側から手前側まで完全に迫り出してくる（落下口閉鎖位置）。
【００４２】
物品取出し口８が開放状態のときには、物品取出し口８が完全に開放され、物品落とし口７が遮蔽板２２によって遮蔽されることで、完全に閉鎖されることになる。すなわち、遮蔽板２２が落下口閉鎖位置に位置しているときは、物品落とし口７と物品収納空間９が連通しなくなるため、操作者は、プレイ空間１０に手を差込んだり、掴持器具を差込んだりすることができなくなる。よって、物品載置板５上の物品６を物品取出し口８から手や掴持器具を差込んでの操作者による不正取出しを防止している。
【実施例２】
【００４３】
次に、図５に図示の実施例２について説明する。図５は、実施例２に係る物品収納空間９の前後方向断面図である。なお、実施例１と同一構成の部材については、実施例１と共通の符号を用いる。
【００４４】
実施例１においては、遮蔽板２２は垂直方向（落下口開放位置）から略水平方向（落下口閉鎖位置）へと移動していたが、実施例２では、遮蔽板３２は物品落とし口７の高さを維持したまま、水平方向に移動する。
【００４５】
遮蔽板３２は、物品落とし口７を遮蔽可能な方形の板部と板部の手前側下部の滑動補助部３２ａと滑動補助部３２ａの左右両側部の滑動部３２ｂとで構成されている。物品取出し口８が閉鎖状態のとき、遮蔽板３２は物品載置板５の下側に位置する。滑動部３２ｂは突起形状をしており、遮蔽板３２を水平方向手前に摺動させるための案内をさせる案内部３４内に挿入されて摺動する。
【００４６】
戸２１の左右両下端には物品収納空間９内の奥端水平方向まで延びる板状の第１連結部３３ａが固着されている。第１連結部３３ａの奥端部には左右方向に軸部３３ｃが設けられる。軸部３３ｃには遮蔽板３２の滑動部３２ｂに回動可能に軸着する第２連結部３３ｂが設けられている。遮蔽板３２と、滑動部３２ｂに回動可能に軸着する第２連結部３３ｂと、第２連結部３３ｂに回動可能に軸着する第１連結部は、Ｚ字を左右反転した形に構成されている。
【００４７】
案内部３４は、物品落とし口７の下方に位置し、物品収納空間９の左右両側板の水平方向に延びる長孔である。長孔内に、遮蔽板３２の滑動部３２ｂが挿入されているため、遮蔽板３２は、案内部３４に沿って水平移動する。
【００４８】
戸２１が最も下方向に移動している位置（ホームポジション）にあるとき（図５（ａ））は、戸２１によって物品取出し口８が完全に閉鎖される（閉鎖状態）。戸２１が閉鎖状態のとき、遮蔽板３２は物品収納空間９内の奥側、かつ、物品載置板５の下側の水平位置（落下口開放位置）となる。遮蔽板３２が落下口開放位置に位置しているときは、物品収納空間９と物品落とし口７とは遮蔽板３２によって遮蔽されていないため、物品落とし口７は開放される。
【００４９】
物品取出し口８が閉鎖状態のときには、物品落とし口７が開放されているので、物品落とし口７と物品収納空間９が連通するため、物品落とし口７に入った物品６は、物品収納空間９内に収納される。物品取出し口８が閉鎖状態では、操作者は物品収納空間９内に収納された物品６を取出すことができない。
【００５０】
戸２１が上昇移動して、物品取出し口８が閉鎖状態から物品取出し口８の下側半分が開放した半開放状態になるとき（図５（ｂ））、連結部も上昇移動することによって、遮蔽板３２が、滑動部３２ｂが案内部３４と摺動して、案内部３４に沿って、徐々に奥側から手前側に迫り出してくる。
【００５１】
ここで、物品取出し口８が閉鎖状態のとき、第２連結部３３ｂの遮蔽板３２側が垂直方向やや手前側に傾斜しているが、この点について説明する。
【００５２】
戸２１が上昇移動して、物品取出し口８が閉鎖状態から半開放状態になるとき、第１連結部３３ａが上昇移動することによって、第２連結部３３ｂも上昇移動することになる。ここで、案内部３４は水平方向に延びる長孔であり、第２連結部３３ｂの遮蔽板３２側が垂直方向やや手前側に傾斜しているため、滑動部３２ｂに上方向の力が加わったときに、その力が手前側に逃げることで、軸部３３ｃを軸として第２連結部３３ｂが手前側に傾動可能となっている。
【００５３】
物品取出し口８が半開放状態のときには、物品落とし口７の手前側が開放されているので、物品落とし口７と物品収納空間９の一部が連通するになる。ここで、物品取出し口８は下側半分程度が開放されており、かつ、物品落とし口７の手前側が開放されているため、物品取出し口８と物品収納空間９と物品落とし口７と連通することになる。しかしながら、遮蔽板３２が物品落とし口７の奥側、つまり、物品６が載置されている物品載置板５の手前端から遮蔽していくことで、操作者は、物品載置板５の手前端から離れた物品落とし口７の手前側を介してプレイ空間１０に手を差込んだり、掴持器具を差込んだりすることになるため、物品載置板５までは届きにくくなっている。よって、物品載置板５上の物品６を物品取出し口８から手や掴持器具を差込んでの操作者による不正取出しを防止している。
【００５４】
戸２１が最大限まで上昇移動して、物品取出し口８が半開放状態から物品取出し口８が完全に開放した開放状態になるに従って（図５（ｃ））、連結部２３も上昇移動することによって、遮蔽板３２が、案内部３４に沿って奥側から手前側まで完全に迫り出してくる（落下口閉鎖位置）。
【００５５】
物品取出し口８が開放状態のときには、物品取出し口８が完全に開放され、物品落とし口７が遮蔽板３２によって遮蔽されることで、完全に閉鎖されることになる。すなわち、遮蔽板３２が落下口閉鎖位置に位置しているときは、物品落とし口７と物品収納空間９が連通しなくなるため、操作者は、プレイ空間１０に手を差込んだり、掴持器具を差込んだりすることができなくなる。よって、物品載置板５上の物品６を物品取出し口８から手や掴持器具を差込んでの操作者による不正取出しを防止している。
【実施例３】
【００５６】
次に、図６に図示の実施例３について説明する。図６は、実施例３に係る物品収納空間９の前後方向断面図である。なお、実施例１、実施例２と同一構成の部材については、実施例１、実施例２と共通の符号を用いる。
【００５７】
実施例１及び実施例２においては、遮蔽板２２、遮蔽板３２は物品落とし口７を方形の板部で遮蔽していたが、実施例３では、遮蔽板４２は、シャッターまたは折りたたみ式の風呂蓋状で、左右方向が長手方向となる長方形の板部が複数合わさった複合板部で構成されている。
【００５８】
遮蔽板４２の複合板部の左右両側部は、案内部４４内に挿入されて摺動する。
【００５９】
戸２１の左右両下端部には、物品収納空間９の奥側に設けられている遮蔽板４２の下端部（遮蔽板４２の略全ての板部が垂直方向を向いている位置にあるときの下端部）と連結している、物品収納空間９の奥端水平方向にまで延びる板状の連結部２３が設けられている。なお、連結部２３は、戸２１が移動するのに伴い、遮蔽板４２を移動させることができればよく、戸２１の左右下端部のどちらか一方のみに設けられていてもよい。
【００６０】
案内部４４は、物品落とし口７の近傍下側の位置においては、物品収納空間９の左右両側板の水平方向に延び、物品収納空間９の奥側の位置においては、物品収納空間９の左右両側板の垂直方向に延びるようなＬ字を上下左右反転させた形の長孔である。また、L字の角である長孔の曲がり角部分は緩やかな曲線状になっている。長孔内に、遮蔽板４２の左右両側部が挿入され、かつ、左右方向が長手方向となる長方形の複数板部のそれぞれが、物品収納空間９側の端が可撓制を有して連なって構成されているため、遮蔽板４２は、長孔の曲がり角では可撓して曲がることができ、案内部４４に沿って摺動する。
【００６１】
戸２１が最も下方向に移動している位置（ホームポジション）にあるとき（図６（ａ））は、戸２１によって物品取出し口８が完全に閉鎖される（閉鎖状態）。戸２１が閉鎖状態のとき、遮蔽板４２は物品収納空間９内の奥側で、遮蔽板４２の略全ての板部が垂直方向を向いている位置（落下口開放位置）となる。遮蔽板４２が落下口開放位置に位置しているときは、物品収納空間９と物品落とし口７とは遮蔽板４２によって遮蔽されていないため、物品落とし口７は開放される。
【００６２】
物品取出し口８が閉鎖状態のときには、物品落とし口７が開放されているので、物品落とし口７と物品収納空間９が連通するため、物品落とし口７に入った物品６は、物品収納空間９内に落下し、収納される。物品取出し口８が閉鎖状態では、操作者は物品収納空間９内に収納された物品６を取出すことができない。
【００６３】
戸２１が上昇移動して、物品取出し口８が閉鎖状態から物品取出し口８の下側半分が開放した半開放状態になるとき（図６（ｂ））、連結部２３も上昇移動することによって、物品収納空間９内の奥側で略全ての板部が垂直方向を向いていた遮蔽板４２が、遮蔽板４２の左右両側部が案内部４４と摺動して、案内部４４に沿って、順次、遮蔽板４２の上端部（遮蔽板４２が落下口開放位置にあるときの上端部）側の板部から、徐々に水平方向を向くように、奥側から手前側に迫り出してくる。
【００６４】
物品取出し口８が半開放状態のときには、物品落とし口７の手前側が開放されているので、物品落とし口７と物品収納空間９の一部が連通するになる。ここで、物品取出し口８は下側半分程度が開放されており、かつ、物品落とし口７の手前側が開放されているため、物品取出し口８と物品収納空間９と物品落とし口７と連通することになる。しかしながら、遮蔽板４２が物品落とし口７の奥側、つまり、物品６が載置されている物品載置板５の手前端から遮蔽していくので、操作者は、物品載置板５の手前端から離れた物品落とし口７の手前側を介してプレイ空間１０に手を差込んだり、掴持器具を差込んだりしても、物品載置板５までは届きにくくなっている。よって、物品載置板５上の物品６を物品取出し口８から手や掴持器具を差込んでの操作者による不正取出しを防止している。
【００６５】
戸２１が最大限まで上昇移動して、物品取出し口８が半開放状態から物品取出し口８が完全に開放した開放状態になるに従って（図６（ｃ））、連結部２３も上昇移動することによって、遮蔽板４２の上端部の板部が、案内部４４に沿って奥側から手前側まで完全に迫り出してくる（落下口閉鎖位置）。
【００６６】
物品取出し口８が開放状態のときには、物品取出し口８が完全に開放され、物品落とし口７が遮蔽板４２によって遮蔽されることで、完全に閉鎖されることになる。すなわち、遮蔽板４２が落下口閉鎖位置に位置しているときは、物品落とし口７と物品収納空間９が連通しなくなるため、操作者は、プレイ空間１０に手を差込んだり、掴持器具を差込んだりすることができなくなる。よって、物品載置板５上の物品６を物品取出し口８から手や掴持器具を差込んでの操作者による不正取出しを防止している。
【００６７】
以上説明をした実施例１乃至実施例３に係る物品取得装置では、物品取出し口８を開放しつつ、物品６が載置されている物品載置板５の手前端から物品落とし口７を遮蔽していく。また、物品取出し口８を完全に開放すると、物品落とし口７が遮蔽板２２、遮蔽板３２、遮蔽板４２によって遮蔽され、完全に閉鎖される。これにより、簡易な構造で、物品載置板５上に載置されている物品６が操作者によって不正に取出されることを防止できる。
【００６８】
以上、本発明の実施例について具体的に説明してきたが、本発明はこれに限定されるものでなく、この趣旨を逸脱しない範囲で適宜変更可能である。
【符号の説明】
【００６９】
１      クレーンゲーム機
２      筐体下部
３      筐体上部
４      外周壁
５      物品載置板
６      物品
７      物品落とし口
８      物品取出し口
９      物品収納空間
１０    プレイ空間
１１    走行型クレーン
１２    操作ブロック
１３    硬貨投入口
２１    戸
２２    遮蔽板
２２ａ  軸部
２２ｂ  滑動部
２３    連結部
２４    案内部
３２    遮蔽板
３２ａ  滑動補助部
３２ｂ  滑動部
３３ａ  第１連結部
３３ｂ  第２連結部
３３ｃ  軸部
３４    案内部
４２    遮蔽板
４４    案内部
【図１】
2012024171.tif 000003
【図２】
2012024171.tif 000004
【図３】
2012024171.tif 000005
【図４】
2012024171.tif 000006
【図５】
2012024171.tif 000007
【図６】
2012024171.tif 000008